(57)【要約】【課題】  例えば、ユーザが所望するコンテンツを視聴するための利便性をより好適にさせる。【解決手段】  情報再生装置（１）は、情報記録媒体（４１等）に記録される放送映像を含むコンテンツを再生するために、（ｉ）コンテンツを受信する受信手段（１０）と、（ｉｉ）コンテンツに含まれる特徴量（ＳＰＥ）を抽出する特徴量抽出手段（３０）と、（ｉｉｉ）抽出された特徴量に基づいてイベント（ハーフタイム等）を検出する検出手段（２０等）と、（ｉｖ）受信コンテンツ、及び、記録コンテンツのうちいずれか一方を再生する再生手段（５０）と、（ｖ）イベントが検出された場合、再生する対象を一方から他方へと切替えるように、再生手段を制御する制御手段（２０）とを備える。【選択図】  図１
2006140913.tif 000002
【特許請求の範囲】
【請求項１】
情報記録媒体に記録される、又は、記録された、少なくとも放送映像を含むコンテンツを再生するための情報再生装置であって、
前記コンテンツを受信する受信手段と、
前記受信されたコンテンツである受信コンテンツに含まれる特徴量を抽出する特徴量抽出手段と、
前記抽出された特徴量に基づいてイベントを検出する検出手段と、
前記受信コンテンツ、及び、前記記録されたコンテンツである記録コンテンツのうちいずれか一方を再生する再生手段と、
前記イベントが検出された場合、再生する対象を前記一方から他方へと切替えるように、前記再生手段を制御する制御手段と
を備えることを特徴とする情報再生装置。
【請求項２】
前記制御手段は、前記記録コンテンツを再生する場合、前記抽出された特徴量に基づいて要約された要約コンテンツを再生するように前記再生手段を制御することを特徴とする請求項１に記載の情報再生装置。
【請求項３】
前記検出手段は、前記イベントとして、主目的たるコンテンツと副次的なコンテンツとを論理的に区別する情報、及び、広告又は宣伝を目的とするか否かを形式的に区別する情報のうち少なくとも一つを検出することを特徴とする請求項１又は２に記載の情報再生装置。
【請求項４】
前記検出手段は、前記特徴量として、音声レベルの盛り上がり、及びシーンチェンジのうちの少なくとも一つに基づいて前記イベントを検出することを特徴とする請求項１から３のうちのいずれか一項に記載の情報再生装置。
【請求項５】
前記記録コンテンツは、未視聴のコンテンツと視聴済みのコンテンツとに分類することができ、
前記制御手段は、前記記録コンテンツを、前記分類に基づいて再生するように前記再生手段を制御することを特徴とする請求項１から４のうちいずれか一項に記載の情報再生装置。
【請求項６】
前記コンテンツは、属性情報として、タイトル名、日付、及び、種類、又は、キーワードを有し、
前記制御手段は、前記記録コンテンツを、前記属性情報に基づいて再生するように前記再生手段を制御することを特徴とする請求項１から５のうちいずれかいずれか一項に記載の情報再生装置。
【請求項７】
前記制御手段は、前記属性情報に基づいて、前記受信コンテンツと同じ種類又は同じキーワードの前記記録コンテンツを再生するように前記再生手段を制御することを特徴とする請求項６に記載の情報再生装置。
【請求項８】
前記受信手段は、複数のコンテンツを受信可能であり、
前記受信された複数のコンテンツのうち少なくとも一つを、前記情報記録媒体に記録する記録手段を更に備え、
前記再生手段は、前記受信コンテンツ、及び、前記記録された複数のコンテンツのうちいずれか一のコンテンツを再生し、
前記制御手段は、前記イベントが検出された場合、再生する対象を前記一のコンテンツから他のコンテンツへと切替えるように、前記再生手段を制御することを特徴とする請求項１から７のうちのいずれか一項に記載の情報再生装置。
【請求項９】
前記制御手段は、前記切替えの際に、前記一のコンテンツに対して、直前に再生されていたことを示すフラグ情報を付加しつつ、当該一のコンテンツを前記情報記録媒体に記録するように前記記録手段を制御することを特徴とする請求項８に記載の情報再生装置。
【請求項１０】
情報記録媒体に、少なくとも放送映像を含むコンテンツを記録するための情報記録装置であって、
前記コンテンツを受信する受信手段と、
前記受信されたコンテンンツである受信コンテンツに含まれる特徴量を抽出する特徴量抽出手段と、
前記情報記録媒体に、前記受信コンテンツ、及び、前記抽出された特徴量のうち少なくとも一方を前記情報記録媒体に記録する記録手段と
を備えることを特徴とする情報記録装置。
【請求項１１】
少なくとも一つの放送映像を含むコンテンツを記録又は再生するための情報記録再生装置であって、
前記コンテンツを受信する受信手段と、
前記受信されたコンテンンツである受信コンテンツに含まれる特徴量を抽出する特徴量抽出手段と、
前記情報記録媒体に、前記受信コンテンツ、及び、前記抽出された特徴量のうち少なくとも一方を前記情報記録媒体に記録する記録手段と、
前記抽出された特徴量に基づいてイベントを検出する検出手段と、
前記受信コンテンツ、及び、前記記録されたコンテンツである記録コンテンツのうちいずれか一方を再生する再生手段と、
前記イベントが検出された場合、再生する対象を前記一方から他方へと切替えるように、前記再生手段を制御する制御手段と
を備えることを特徴とする情報記録再生装置。
【請求項１２】
情報記録媒体に記録される、又は、記録された、少なくとも放送映像を含むコンテンツを再生するための情報再生装置における情報再生方法であって、
前記コンテンツを受信する受信工程と、
前記受信されたコンテンツである受信コンテンツに含まれる特徴量を抽出する特徴量抽出工程と、
前記抽出された特徴量に基づいてイベントを検出する検出工程と、
前記受信コンテンツ、及び、前記記録されたコンテンツである記録コンテンツのうちいずれか一方を再生する再生工程と、
前記イベントが検出された場合、再生する対象を前記一方から他方へと切替えるように、前記再生工程を制御する制御工程と
を備えることを特徴とする情報再生方法。
【請求項１３】
情報記録媒体に、少なくとも放送映像を含むコンテンツを記録するための情報記録装置における情報記録方法であって、
前記コンテンツを受信する受信工程と、
前記受信されたコンテンンツである受信コンテンツに含まれる特徴量を抽出する特徴量抽出工程と、
前記情報記録媒体に、前記受信コンテンツ、及び、前記抽出された特徴量のうち少なくとも一方を前記情報記録媒体に記録する記録工程と
を備えることを特徴とする情報記録方法。
【請求項１４】
少なくとも一つの放送映像を含むコンテンツを記録又は再生するための情報記録再生装置における情報記録再生方法であって、
前記コンテンツを受信する受信工程と、
前記受信されたコンテンンツである受信コンテンツに含まれる特徴量を抽出する特徴量抽出工程と、
前記情報記録媒体に、前記受信コンテンツ、及び、前記抽出された特徴量のうち少なくとも一方を前記情報記録媒体に記録する記録工程と、
前記抽出された特徴量に基づいてイベントを検出する検出工程と、
前記受信コンテンツ、及び、前記記録されたコンテンツである記録コンテンツのうちいずれか一方を再生する再生工程と、
前記イベントが検出された場合、再生する対象を前記一方から他方へと切替えるように、前記再生工程を制御する制御工程と
を備えることを特徴とする情報記録再生方法。
【請求項１５】
請求項１に記載の情報再生装置に備えられたコンピュータを制御する再生制御用のコンピュータプログラムであって、該コンピュータを、前記受信手段、前記特徴量抽出手段、前記検出手段、前記再生手段、及び前記制御手段のうち少なくとも一部として機能させることを特徴とするコンピュータプログラム。
【請求項１６】
請求項１０に記載の情報記録装置に備えられたコンピュータを制御する記録制御用のコンピュータプログラムであって、該コンピュータを、前記受信手段、前記特徴量抽出手段、及び前記記録手段のうち少なくとも一部として機能させることを特徴とするコンピュータプログラム。
【請求項１７】
請求項１１に記載の情報記録再生装置に備えられたコンピュータを制御する記録再生制御用のコンピュータプログラムであって、該コンピュータを、前記受信手段、前記特徴量抽出手段、前記記録手段、前記検出手段、前記再生手段、及び前記制御手段のうち少なくとも一部として機能させることを特徴とするコンピュータプログラム。
【発明の詳細な説明】
【技術分野】
【０００１】
本発明は、例えば、アナログやデジタル放送において、放送番組の属性情報を示した電子番組表（ＥＰＧ：Electric Program Guide）情報を取得すると共に、例えばハードディスク、ＤＶＤ、Blu-rayディスク等の情報記録媒体に放送番組等を記録（録画）又は再生することが可能な情報再生装置及び方法、情報記録装置及び方法、情報記録再生装置及び方法、並びにコンピュータプログラムの技術分野に関する。
【背景技術】
【０００２】
特許文献１においては、例えばコマーシャルやサッカー放送におけるハーフタイム等のユーザが設定した所定のイベント（事象）の最中に、現在受信し視聴している放送コンテンツのダイジェスト再生（要約再生）を行うことが可能な情報記録再生方法に関する技術が開示されている。ここに、本願発明に係る「ダイジェスト再生（要約再生、Digest再生）」とは、受信したコンテンツ（受信コンテンツ）から抽出された特徴量に基づいて、受信コンテンツ内のハイライトシーンや、要約部分等の受信コンテンツの概要を短時間で視聴することが可能な概要再生のことである。詳細には、例えばハードディスク等の情報記録媒体において記録されている（ｉ）記録コンテンツと、（ｉｉ）特徴量とに基づいて、ダイジェスト再生のための映像情報を作成し再生する。このことによって、ユーザが、現在視聴している放送コンテンツから興味を失って、他のチャンネルへ切替える可能性を少なくさせることが可能となる。より詳細には、情報記録再生装置は、ダイジェスト再生における要約コンテンツを作成するために、特徴量に基づいて、記録コンテンツの中で要約コンテンツを構成する部分を示すアドレス等の位置情報を認識することが可能である。
【０００３】
特許文献２乃至特許文献４においては、この所定のイベントをより的確に検出するために、受信された放送コンテンツにおいて、例えば音声レベルの盛り上がりを検出したり、シーンチェンジを検出したりする等の、放送コンテンツにおける特徴量の抽出に関する技術が開示されている。
【０００４】
【特許文献１】特開２００２−５１３００号公報
【特許文献２】特開２００３−２５０１３１号公報
【特許文献３】特開２００３−３１６３７８号公報
【特許文献４】特開２００３−８７７２８号公報
【発明の開示】
【発明が解決しようとする課題】
【０００５】
しかしながら、特許文献１における再生方法だけでは、例えばサッカー放送のハーフタイム等のユーザが設定した所定のイベントの最中に、ユーザが所望するコンテンツを視聴するための利便性を高めるには不十分であるという技術的な問題点がある。
【０００６】
本発明は、例えば上述した問題点に鑑みなされたものであり、例えば、ユーザが所望するコンテンツを視聴するための利便性をより好適にさせることが可能な情報再生装置及び方法、情報記録装置及び方法、情報記録再生装置及び方法、並びにコンピュータをこのような装置として機能させるコンピュータプログラムを提供することを課題とする。
【課題を解決するための手段】
【０００７】
上記課題を解決するために、請求項１に記載の情報再生装置は、情報記録媒体（ＨＤＤ、光ディスク等）に記録される、又は、記録された、少なくとも放送映像を含むコンテンツを再生するための情報再生装置であって、前記コンテンツを受信する受信手段と、前記受信されたコンテンツである受信コンテンツ（は記録コンテンツは含まない）に含まれる特徴量（音声レベルの盛り上がり、シーンチェンジ）を抽出する特徴量抽出手段と、前記抽出された特徴量に基づいてイベント（ハーフタイムやＣＭＬ）を検出する検出手段と、前記受信コンテンツ、及び、前記記録されたコンテンツである記録コンテンツのうちいずれか一方を再生する再生手段と、前記イベントが検出された場合、再生する対象を前記一方から他方へと切替えるように、前記再生手段を制御する制御手段とを備える。
【０００８】
上記課題を解決するために、請求項１０に記載の情報記録装置は、情報記録媒体（ＨＤＤ、光ディスク等）に、少なくとも放送映像を含むコンテンツを記録するための情報記録装置であって、前記コンテンツを受信する受信手段と、前記受信されたコンテンンツである受信コンテンツに含まれる特徴量を抽出する特徴量抽出手段と、前記情報記録媒体に、前記受信コンテンツ、及び、前記抽出された特徴量のうち少なくとも一方を前記情報記録媒体に記録する記録手段とを備える。
【０００９】
上記課題を解決するために、請求項１１に記載の情報記録再生装置は、少なくとも一つの放送映像を含むコンテンツを記録又は再生するための情報記録再生装置であって、前記コンテンツを受信する受信手段と、前記受信されたコンテンンツである受信コンテンツに含まれる特徴量を抽出する特徴量抽出手段と、前記情報記録媒体に、前記受信コンテンツ、及び、前記抽出された特徴量のうち少なくとも一方を前記情報記録媒体に記録する記録手段と、前記抽出された特徴量に基づいてイベント（ハーフタイムやＣＭＬ）を検出する検出手段と、前記受信コンテンツ、及び、前記記録されたコンテンツである記録コンテンツのうちいずれか一方を再生する再生手段と、前記イベントが検出された場合、再生する対象を前記一方から他方へと切替えるように、前記再生手段を制御する制御手段とを備える。
【００１０】
上記課題を解決するために、請求項１２に記載の情報再生方法は、情報記録媒体（ＨＤＤ、光ディスク等）に記録される、又は、記録された、少なくとも放送映像を含むコンテンツを再生するための情報再生装置における情報再生方法であって、前記コンテンツを受信する受信工程と、前記受信されたコンテンツである受信コンテンツ（は記録コンテンツは含まない）に含まれる特徴量（音声レベルの盛り上がり、シーンチェンジ）を抽出する特徴量抽出工程と、前記抽出された特徴量に基づいてイベント（ハーフタイムやＣＭＬ）を検出する検出工程と、前記受信コンテンツ、及び、前記記録されたコンテンツである記録コンテンツのうちいずれか一方を再生する再生工程と、前記イベントが検出された場合、再生する対象を前記一方から他方へと切替えるように、前記再生工程を制御する制御工程とを備える。
【００１１】
上記課題を解決するために、請求項１３に記載の情報記録方法は、情報記録媒体（ＨＤＤ、光ディスク等）に、少なくとも放送映像を含むコンテンツを記録するための情報記録装置における情報記録方法であって、前記コンテンツを受信する受信工程と、前記受信されたコンテンンツである受信コンテンツに含まれる特徴量を抽出する特徴量抽出工程と、前記情報記録媒体に、前記受信コンテンツ、及び、前記抽出された特徴量のうち少なくとも一方を前記情報記録媒体に記録する記録工程とを備える。
【００１２】
上記課題を解決するために、請求項１４に記載の情報記録再生方法は、少なくとも一つの放送映像を含むコンテンツを記録又は再生するための情報記録再生装置における情報記録再生方法であって、前記コンテンツを受信する受信工程と、前記受信されたコンテンンツである受信コンテンツに含まれる特徴量を抽出する特徴量抽出工程と、前記情報記録媒体に、前記受信コンテンツ、及び、前記抽出された特徴量のうち少なくとも一方を前記情報記録媒体に記録する記録工程と、前記抽出された特徴量に基づいてイベント（ハーフタイムやＣＭＬ）を検出する検出工程と、前記受信コンテンツ、及び、前記記録されたコンテンツである記録コンテンツのうちいずれか一方を再生する再生工程と、前記イベントが検出された場合、再生する対象を前記一方から他方へと切替えるように、前記再生工程を制御する制御工程とを備える。
【００１３】
上記課題を解決するために、請求項１５に記載のコンピュータプログラムは、請求項１に記載の情報再生装置に備えられたコンピュータを制御する再生制御用のコンピュータプログラムであって、該コンピュータを、前記受信手段、前記特徴量抽出手段、前記検出手段、前記再生手段、及び前記制御手段のうち少なくとも一部として機能させる。
【００１４】
上記課題を解決するために、請求項１６に記載のコンピュータプログラムは、請求項１０に記載の情報記録装置に備えられたコンピュータを制御する記録制御用のコンピュータプログラムであって、該コンピュータを、前記受信手段、前記特徴量抽出手段、及び前記記録手段のうち少なくとも一部として機能させる。
【００１５】
上記課題を解決するために、請求項１７に記載のコンピュータプログラムは、請求項１１に記載の情報記録再生装置に備えられたコンピュータを制御する記録再生制御用のコンピュータプログラムであって、該コンピュータを、前記受信手段、前記特徴量抽出手段、前記記録手段、前記検出手段、前記再生手段、及び前記制御手段のうち少なくとも一部として機能させる。
【００１６】
本発明の作用及び他の利得は次に説明する実施の形態から明らかにされよう。
【発明を実施するための最良の形態】
【００１７】
以下、発明を実施するための最良の形態としての本発明の実施形態に係る情報再生装置及び方法、情報記録装置及び方法、情報記録再生装置及び方法、並びにコンピュータプログラムについて順に説明する。
【００１８】
（情報再生装置の実施形態）
本発明の情報再生装置に係る実施形態は、情報記録媒体（ＨＤＤ「Hard Disc Drive」、光ディスク等）に記録される、又は、記録された、少なくとも放送映像を含むコンテンツを再生するための情報再生装置であって、前記コンテンツを受信する受信手段と、前記受信されたコンテンツである受信コンテンツ（は記録コンテンツは含まない）に含まれる特徴量（音声レベルの盛り上がり、シーンチェンジ）を抽出する特徴量抽出手段と、前記抽出された特徴量に基づいてイベント（ハーフタイムやCommercial：ＣＭＬ）を検出する検出手段と、前記受信コンテンツ、及び、前記記録されたコンテンツである記録コンテンツのうちいずれか一方を再生する再生手段と、前記イベントが検出された場合、再生する対象を前記一方から他方へと切替えるように、前記再生手段を制御する制御手段とを備える。
【００１９】
本発明の情報再生装置に係る実施形態によれば、先ず、受信手段において受信された受信コンテンツが再生（通常再生）され、ユーザは、この受信コンテンツが視聴されている。尚、受信手段に対しては、外部機器から受信コンテンツが入力されるように構成してもよい。特徴量抽出手段によって、受信コンテンツに含まれる特徴量が抽出される。制御手段は、特徴量抽出手段によって抽出された特徴量に基づいて、例えばサッカー放映におけるハーフタイムの部分等のイベントを検出すると、再生手段に対して、例えば記録コンテンツのダイジェスト再生（要約再生）を行わせる。ここに、本願発明に係る「イベント」とは、受信コンテンツＣＴの通常再生、及び記録コンテンツＲＣＴのダイジェスト再生のうち一方から他方へと切替える契機となる、ユーザ所望の事象である。このイベントの具体例としては、（ｉ）前述したサッカー放映におけるハーフタイムの部分や、歌番組の司会者の会話の部分等の主目的たるコンテンツと副次的なコンテンツとを論理的に区別可能な部分、及び、（ｉｉ）コマーシャル（Commercial：ＣＭＬ）の部分等の広告又は宣伝を目的とするか否かを形式的に区別可能な部分を一例として挙げることができる。
【００２０】
制御手段は、特徴量抽出手段によって抽出された特徴量に基づいて、受信コンテンツにおける例えばハーフタイム等のイベントが終了した事を検出すると、記録コンテンツの例えばダイジェスト再生を終了し、受信コンテンツの通常再生へと切替えを行う。
【００２１】
以上の結果、ユーザが所望していない、即ち、余り視聴したくない、例えばハーフタイムやＣＭＬ等のイベントが放映された場合、情報記録媒体に記録された（記録されている）記録コンテンツの再生を開始することが可能となる。特に、この受信コンテンツの視聴から再生への切替えは、ユーザによるボタン操作やリモコン操作等も必要なく自動的に開始されるので、ユーザは、高い利便性を享受することが可能である。
【００２２】
更に、情報記録媒体に記録されている例えば、複数の記録コンテンツを、所定の順番で、再生されるので、ユーザが所望する記録コンテンツを迅速に検索することが可能となる。
【００２３】
仮に、本発明の情報再生装置に係る再生制御を行わない場合、ユーザは、例えばハーフタイム等のイベントを視聴した場合、ボタン操作やリモコン操作等によって、ザッピングを行なったりして、所望の受信コンテンツを検索する。或いは、情報記録媒体内の記録コンテンツの再生、早送り又は停止等の操作を繰り返して、所望の記録コンテンツを検索する。このような検索を手動で行うことは、ユーザが所望するコンテンツを視聴するために無駄な時間が掛ってしまい、ユーザのための利便性も好ましくなくなってしまう。
【００２４】
これに対して、本発明の情報再生装置に係る実施形態においては、ユーザが所望していない、例えばハーフタイム等のイベントが放映された場合、情報記録媒体に記録された（記録されている）記録コンテンツの再生を開始することが可能となる。特に、この受信コンテンツの視聴から再生への切替えは、ユーザによるボタン操作やリモコン操作等も必要なく自動的に開始されるので、ユーザは、高い利便性を享受することが可能である。
【００２５】
本発明の情報再生装置に係る実施形態の一の態様では、前記制御手段は、前記記録コンテンツを再生する場合、前記抽出された特徴量に基づいて要約された要約コンテンツ（ダイジェストコンテンツ）を再生するように前記再生手段を制御する。
【００２６】
この態様によれば、ユーザが所望していない、例えばハーフタイム等のイベントが放映された場合、情報記録媒体に記録されている記録コンテンツの概要を再生するダイジェスト再生を開始することが可能となる。特に、この受信コンテンツの視聴からダイジェスト再生への切替えは、ユーザによるボタン操作やリモコン操作等も必要なく自動的に開始されるので、ユーザは、高い利便性を享受することが可能である。
【００２７】
更に、例えば、情報記録媒体に記録されている複数の記録コンテンツを、所定の順番で、ダイジェスト再生されるので、ユーザが所望する記録コンテンツを迅速に検索することが可能となる。
【００２８】
本発明の情報再生装置に係る実施形態の他の態様では、前記検出手段は、前記イベントとして、主目的たるコンテンツと副次的なコンテンツとを論理的に区別する情報（サッカー放映とハーフタイムとの区別、及び、歌番組中の歌部分とトーク部分との区別）、及び、広告又は宣伝を目的とするか否かを形式的に区別する情報（コマーシャルと番組との区別）のうち少なくとも一つを検出する。
【００２９】
この態様によれば、検出手段が検出するイベントの一具体例として、（ｉ）主目的たるコンテンツと副次的なコンテンツとを論理的に区別する情報である、例えばサッカー放映とハーフタイムとを区別する情報や、歌番組中の歌部分とトーク部分とを区別する情報を挙げることができる。或いは、他の具体例として、（ｉｉ）広告又は宣伝を目的とするか否かを形式的に区別する情報であるコマーシャルと番組とを区別する情報を挙げることができる。
【００３０】
この結果、ユーザは、所望のイベントを設定する上で、より高い利便性を享受することが可能である。
【００３１】
本発明の情報再生装置に係る実施形態の他の態様では、前記検出手段は、前記特徴量として、音声レベルの盛り上がり、及びシーンチェンジのうちの少なくとも一つに基づいて前記イベントを検出する。
【００３２】
この態様によれば、検出手段は、より的確にイベントを検出することが可能となる。
【００３３】
本発明の情報再生装置に係る実施形態の他の態様では、前記記録コンテンツは、未視聴のコンテンツ（Ｎｅｗマーク）と視聴済みのコンテンツとに分類することができ、前記制御手段は、前記記録コンテンツを、前記分類に基づいて再生するように前記再生手段を制御する。
【００３４】
この態様によれば、情報記録媒体に記録されている、例えば複数の記録コンテンツを、分類に基づいて、再生されるので、ユーザが所望する記録コンテンツをより迅速に検索することが可能となる。
【００３５】
本発明の情報再生装置に係る実施形態の他の態様では、前記コンテンツ（受信コンテンツ、及び記録コンテンツ）は、属性情報（ＥＰＧ（Electric Program Guide）情報）として、タイトル名、日付、及び、種類（ジャンル）、又は、ユーザが入力したキーワードを有し、前記制御手段は、前記記録コンテンツを、前記属性情報に基づいて（例えばアルファベット順でソート、新しい日付順でソート、種類又はキーワードで分類）再生するように前記再生手段を制御する。
【００３６】
この態様によれば、情報記録媒体に記録されている、例えば複数の記録コンテンツを、属性情報に基づいて、再生されるので、ユーザが所望する記録コンテンツをより迅速に検索することが可能となる。
【００３７】
この制御手段に係る態様では、前記制御手段は、前記属性情報に基づいて、前記受信コンテンツと同じ種類（ジャンル）又は同じキーワードの前記記録コンテンツを再生するように前記再生手段を制御する。
【００３８】
この態様によれば、ユーザが所望する記録コンテンツをより迅速に検索することが可能となる。
【００３９】
本発明の情報再生装置に係る実施形態の他の態様では、前記受信手段は、複数のコンテンツを受信可能であり、前記受信された複数のコンテンツのうち少なくとも一つを、前記情報記録媒体に記録する記録手段を更に備え、前記再生手段は、前記受信コンテンツ、及び、前記記録された複数のコンテンツのうちいずれか一のコンテンツ（表番組）を再生し、前記制御手段は、前記イベントが検出された場合、再生する対象を前記一のコンテンツから他のコンテンツ（裏番組）へと切替えるように、前記再生手段を制御する。
【００４０】
この態様によれば、一の受信コンテンツ（表番組）を視聴している際に、例えばハーフタイム等のイベントが検出されると、自動的に記録されている他の受信コンテンツ（裏番組）が再生される。従って、ユーザは、ザッピングする必要はなくなり、他の受信コンテンツ（裏番組）の再生を自動的に視聴できるので、ユーザにとって高い利便性を享受することが可能である。
【００４１】
更に、情報記録媒体に記録された他の受信コンテンツ（裏番組）が、所定の順番で、再生されるので、ユーザが所望する他の受信コンテンツをより迅速に検索することが可能となる。
【００４２】
この制御手段に係る態様では、前記制御手段は、前記切替えの際に、前記一のコンテンツに対して、直前に再生されていたことを示すフラグ情報を付加しつつ、当該一のコンテンツを前記情報記録媒体に記録するように前記記録手段を制御する。
【００４３】
この態様によれば、ユーザは、所望する一の受信コンテンツへ再生を戻すことが可能となる。
【００４４】
（情報記録装置の実施形態）
本発明の情報記録装置に係る実施形態は、情報記録媒体（ＨＤＤ、光ディスク等）に、少なくとも放送映像を含むコンテンツを記録するための情報記録装置であって、前記コンテンツを受信する受信手段と、前記受信されたコンテンンツである受信コンテンツに含まれる特徴量を抽出する特徴量抽出手段と、前記情報記録媒体に、前記受信コンテンツ、及び、前記抽出された特徴量のうち少なくとも一方を前記情報記録媒体に記録する記録手段とを備える。
【００４５】
本発明の情報記録装置に係る実施形態によれば、記録された受信コンテンツ、及び特徴量のうち少なくとも一方を、上述した本発明の情報再生装置に係る実施形態によって、再生させることが可能となる。
【００４６】
（情報記録再生装置の実施形態）
本発明の情報記録再生装置に係る実施形態は、少なくとも一つの放送映像を含むコンテンツを記録又は再生するための情報記録再生装置であって、前記コンテンツを受信する受信手段と、前記受信されたコンテンンツである受信コンテンツに含まれる特徴量を抽出する特徴量抽出手段と、前記情報記録媒体に、前記受信コンテンツ、及び、前記抽出された特徴量のうち少なくとも一方を前記情報記録媒体に記録する記録手段と、前記抽出された特徴量に基づいてイベント（ハーフタイムやＣＭＬ）を検出する検出手段と、前記受信コンテンツ、及び、前記記録されたコンテンツである記録コンテンツのうちいずれか一方を再生する再生手段と、前記イベントが検出された場合、再生する対象を前記一方から他方へと切替えるように、前記再生手段を制御する制御手段とを備える。
【００４７】
本発明の情報記録再生装置に係る実施形態によれば、ユーザが所望していない、例えばハーフタイム等のイベントが放映された場合、情報記録媒体に記録された、又は記録される記録コンテンツの再生を開始することが可能となる。
【００４８】
加えて、本発明の情報記録再生装置に係る実施形態によれば、上述した本発明の情報再生装置に係る実施形態が有する各種利益を享受することが可能となる。
【００４９】
尚、上述した本発明の情報再生装置に係る実施形態が有する各種態様に対応して、本発明の情報記録再生装置に係る実施形態も各種態様を採ることが可能である。
【００５０】
（情報再生方法の実施形態）
本発明の情報再生方法に係る実施形態によれば、情報記録媒体（ＨＤＤ、光ディスク等）に記録される、又は、記録された、少なくとも放送映像を含むコンテンツを再生するための情報再生装置における情報再生方法であって、前記コンテンツを受信する受信工程と、前記受信されたコンテンツである受信コンテンツ（は記録コンテンツは含まない）に含まれる特徴量（音声レベルの盛り上がり、シーンチェンジ）を抽出する特徴量抽出工程と、前記抽出された特徴量に基づいてイベント（ハーフタイムやＣＭＬ）を検出する検出工程と、前記受信コンテンツ、及び、前記記録されたコンテンツである記録コンテンツのうちいずれか一方を再生する再生工程と、前記イベントが検出された場合、再生する対象を前記一方から他方へと切替えるように、前記再生工程を制御する制御工程とを備える。
【００５１】
本発明の情報再生方法に係る実施形態によれば、上述した本発明の情報再生装置に係る実施形態が有する各種利益を享受することが可能となる。
【００５２】
尚、上述した本発明の情報再生装置に係る実施形態が有する各種態様に対応して、本発明の情報再生方法に係る実施形態も各種態様を採ることが可能である。
【００５３】
（情報記録方法の実施形態）
本発明の情報記録方法に係る実施形態は、情報記録媒体（ＨＤＤ、光ディスク等）に、少なくとも放送映像を含むコンテンツを記録するための情報記録装置における情報記録方法であって、前記コンテンツを受信する受信工程と、前記受信されたコンテンンツである受信コンテンツに含まれる特徴量を抽出する特徴量抽出工程と、前記情報記録媒体に、前記受信コンテンツ、及び、前記抽出された特徴量のうち少なくとも一方を前記情報記録媒体に記録する記録工程とを備える。
【００５４】
本発明の情報記録方法に係る実施形態によれば、上述した本発明の情報記録装置に係る実施形態が有する各種利益を享受することが可能となる。
【００５５】
尚、上述した本発明の情報記録装置に係る実施形態が有する各種態様に対応して、本発明の情報記録方法に係る実施形態も各種態様を採ることが可能である。
【００５６】
（情報記録再生方法の実施形態）
本発明の情報記録再生方法に係る実施形態は、少なくとも一つの放送映像を含むコンテンツを記録又は再生するための情報記録再生装置における情報記録再生方法であって、前記コンテンツを受信する受信工程と、前記受信されたコンテンンツである受信コンテンツに含まれる特徴量を抽出する特徴量抽出工程と、前記情報記録媒体に、前記受信コンテンツ、及び、前記抽出された特徴量のうち少なくとも一方を前記情報記録媒体に記録する記録工程と、前記抽出された特徴量に基づいてイベント（ハーフタイムやＣＭＬ）を検出する検出工程と、前記受信コンテンツ、及び、前記記録されたコンテンツである記録コンテンツのうちいずれか一方を再生する再生工程と、前記イベントが検出された場合、再生する対象を前記一方から他方へと切替えるように、前記再生工程を制御する制御工程とを備える。
【００５７】
本発明の情報記録再生方法に係る実施形態によれば、上述した本発明の情報記録再生装置に係る実施形態が有する各種利益を享受することが可能となる。
【００５８】
尚、上述した本発明の情報記録再生装置に係る実施形態が有する各種態様に対応して、本発明の情報記録再生方法に係る実施形態も各種態様を採ることが可能である。
【００５９】
（コンピュータプログラムの実施形態）
本発明のコンピュータプログラムに係る第１実施形態は、上述した本発明の情報再生装置に係る実施形態（但し、その各種態様を含む）に備えられたコンピュータを制御する再生制御用のコンピュータプログラムであって、該コンピュータを、前記受信手段、前記特徴量抽出手段、前記検出手段、前記再生手段、及び前記制御手段のうち少なくとも一部として機能させる。
【００６０】
本発明のコンピュータプログラムに係る第２実施形態は、上述した本発明の情報記録装置に係る実施形態（但し、その各種態様を含む）に備えられたコンピュータを制御する記録制御用のコンピュータプログラムであって、該コンピュータを、前記受信手段、前記特徴量抽出手段、及び前記記録手段のうち少なくとも一部として機能させる。
【００６１】
本発明のコンピュータプログラムに係る第３実施形態は、上述した本発明の情報記録再生装置に係る実施形態（但し、その各種態様を含む）に備えられたコンピュータを制御する記録再生制御用のコンピュータプログラムであって、該コンピュータを、前記受信手段、前記特徴量抽出手段、前記記録手段、前記検出手段、前記再生手段、及び前記制御手段のうち少なくとも一部として機能させる。
【００６２】
本発明に係るコンピュータプログラムの第１、第２、及び第３実施形態によれば、当該コンピュータプログラムを格納するＲＯＭ、ＣＤ−ＲＯＭ、ＤＶＤ−ＲＯＭ、ハードディスク等の記録媒体から、当該コンピュータプログラムをコンピュータに読み込んで実行させれば、或いは、当該コンピュータプログラムを、通信手段を介してコンピュータにダウンロードさせた後に実行させれば、上述した本発明の情報記録装置に係る実施形態を比較的簡単に実現できる。
【００６３】
尚、上述した本発明の情報再生装置、情報記録装置、及び、情報記録再生装置に係る実施形態における各種態様に対応して、本発明のコンピュータプログラムに係る各実施形態も各種態様を採ることが可能である。
【００６４】
本発明のこのような作用及び他の利得は次に説明する実施例から更に明らかにされる。
【００６５】
以上説明したように、本発明の情報再生装置又は方法に係る実施形態は、受信手段と、特徴量抽出手段と、検出手段と、再生手段と、制御手段とを、又は、受信工程と、特徴量抽出工程と、検出工程と、再生工程と、制御工程とを備える。従って、ユーザが所望していない、例えばハーフタイム等のイベントが放映された場合、情報記録媒体に記録された記録コンテンツの再生を開始することが可能となる。特に、この受信コンテンツの視聴から再生への切替えは、ユーザによるボタン操作やリモコン操作等も必要なく自動的に開始されるので、ユーザは、高い利便性を享受することが可能である。
【００６６】
本発明の情報記録装置又は方法に係る実施形態は、受信手段と、特徴量抽出手段と、記録手段とを、又は、受信工程と、特徴量抽出工程と、記録工程とを備える。従って、記録された受信コンテンツ、及び特徴量のうち少なくとも一方を、上述した本発明の情報再生装置に係る実施形態によって、再生させることが可能となる。
【００６７】
本発明の情報記録再生装置又は方法に係る実施形態は、受信手段と、特徴量抽出手段と、記録手段と、検出手段と、再生手段と、制御手段とを、又は、受信工程と、特徴量抽出工程と、記録工程と、検出工程と、再生工程と、制御工程とを、備える。従って、ユーザが所望していない、例えばハーフタイム等のイベントが放映された場合、情報記録媒体に記録された（記録されている）、又は記録される記録コンテンツの再生を開始することが可能となる。
【実施例】
【００６８】
以下、図面を参照しながら、本発明の情報再生装置に係る実施例について説明を進める。尚、本実施例においては、例えば、地上波アナログ放送、又は、地上波デジタル放送を受信する受信機を備えると共に、例えば、ハードディスクドライブ（Hard Disc Drive：以下、適宜「ＨＤＤ」と称す）等の情報記録媒体に記録する、例えば、ＨＤＤ付きＤＶＤレコーダー等の情報記録再生装置について説明する。
【００６９】
（１）情報再生装置の第１実施例
先ず、図１及び図２を参照して、本発明の情報再生装置に係る第１実施例について説明する。尚、以下の説明においては、ＨＤＤ付きのＤＶＤレコーダー等の情報記録再生装置は、受信データの再生のみならず受信データの記録を行うこと可能であるように構成してもよい。
【００７０】
（１−１）基本構成
先ず、図１を参照して、本発明の情報再生装置の第１実施例に係る情報記録再生装置の基本構成について説明を進める。ここに、図１は、本発明の情報再生装置の第１実施例に係る情報記録再生装置の基本構成を概念的に示す論理ブロック図である。
【００７１】
図１に示されるように、情報記録再生装置１は、放送受信部１０、外部機器１１、制御部２０、特徴量抽出部３０、記録管理部４０、コンテンツ記録部４１、特徴量記録部４２、再生管理部５０、及び、表示装置６０を備えて構成されている。
【００７２】
放送受信部１０は、地上波、ＢＳ、ＣＳ放送におけるチューナにあたる部分で放送を受けてコンテンツを抽出し、特徴量抽出部３０、記録管理部４０、及び再生管理部５０に対して送出する。また、放送受信部１０は放送波だけに限らず、インターネット放送などによるコンテンツ受信を行う、若しくはＶＴＲ等の外部機器１１からの映像信号の受信を行う部分でもよい。尚、放送受信部１０は、本願発明に係る「受信手段」の一例を構成する。
【００７３】
外部機器１１は、例えばビデオデッキや、ハンディカム等によって構成されてもよい。尚、この外部機器１１は、放送受信部１０へ映像等のコンテンツＣＴを出力するように構成してもよいし、放送受信部１０を介さないでコンテンツＣＴを情報記録再生装置１に出力するように構成してもよい。
【００７４】
制御部２０は、例えばＣＰＵ（Central Processing Unit）等によって構成され、各種制御や管理を行う。特に、本実施例に係る制御部２０は、現在視聴している受信コンテンツＣＴから特徴量抽出部３０によって抽出された特徴量ＳＰＥに基づいて、例えばサッカー放映におけるハーフタイムの部分等のイベントを検出する。ここに、本願発明に係る「イベント」とは、前述したように、受信コンテンツＣＴの通常再生、及び記録コンテンツＲＣＴのダイジェスト再生のうち一方から他方へと切替える契機となる、ユーザ所望の事象である。このイベントの具体例としては、（ｉ）前述したサッカー放映におけるハーフタイムの部分や、歌番組の司会者の会話の部分等の主目的たるコンテンツと副次的なコンテンツとを論理的に区別可能な部分、及び、（ｉｉ）コマーシャル（Commercial：ＣＭＬ）の部分等の広告又は宣伝を目的とするか否かを形式的に区別可能な部分を一例として挙げることができる。また、検出するイベントの種類の設定は、例えば制御部２０に設けられたメモリ等の記憶手段において格納されてもよい。更に、後述されるダイジェスト再生を行うために抽出する特徴量ＳＰＥにおける各種設定も、同様に制御部２０のメモリ等に格納されてもよい。
【００７５】
尚、制御部２０は、本願発明に係る「検出手段」及び「制御手段」の一例を構成する。
【００７６】
特徴量抽出部３０は、制御部２０の制御下で、（ｉ）受信コンテンツＣＴの特徴量ＳＰＥの抽出を行う。更に（ｉｉ）抽出した特徴量ＳＰＥを特徴量記録部４２へ出力する。特に、イベントの種類は、この特徴量抽出部３０において設定されていてもよいし、特徴量抽出部３０への制御信号としてコンテンツのＣＭ、ハーフタイムなどのイベントや、ダイジェスト抽出等という設定がある。
【００７７】
尚、特徴量抽出部３０は、自ら抽出した特徴量ＳＰＥに基づいて、前述したイベントを検出し、その検出した旨を、制御部２０へ制御信号ＣＬを介して通知するように構成してもよい。この場合、検出するイベントの種類の設定は、特徴量抽出部３０に設けられたメモリ等の記憶手段において格納されてもよい。更に、後述されるダイジェスト再生を行うために抽出する特徴量ＳＰＥにおける各種設定も、同様に特徴量抽出部３０のメモリ等に格納されてもよい。また、特徴量抽出部３０は、本願発明に係る「特徴量抽出手段」の一具体例を構成する。
【００７８】
記録管理部４０は、例えばハードディスクドライブ（Hard Disc Drive）等のように情報記録媒体（ハードディスク）に対して、制御部２０の制御下で、受信コンテンツＣＴ、及び特徴量ＳＰＥの記録を実際に行うと共に、記録コンテンツＲＣＴ、及び特徴量ＳＰＥを再生管理部５０へ出力する手段である。より詳細には、記録管理部４０は、制御部２０の記録制御下で、（ｉ）コンテンツ記録部４１に対して受信コンテンツＣＴを記録すると共に、（ｉｉ）ダイジェスト再生のために、特徴量抽出部３０により抽出された特徴量ＳＰＥを特徴量記録部４２に対して記録するように構成されている。他方、記録管理部４０は、制御部２０の出力制御下で、（ｉｉｉ）コンテンツ記録部４１に記録された記録コンテンツＲＣＴを再生管理部５０へ出力すると共に、（ｉｖ）ダイジェスト再生のために、特徴量記録部４２に記録された特徴量ＳＰＥを再生管理部５０へ出力するように構成されている。
【００７９】
尚、記録管理部４０は、本願発明に係る「記録手段」の一具体例を構成する。また、記録管理部４０に備えられたコンテンツ記録部４１、及び特徴量記録部４２は、本願発明に係る「情報記録媒体」の一具体例を構成する。
【００８０】
再生管理部５０は、制御部２０の制御下で、（ｉ）放送受信部１０により受信された受信コンテンツの通常再生、及び（ｉｉ）コンテンツ記録部４１に記録された記録コンテンツＲＣＴ等のダイジェスト再生のうちいずれか一方を選択し、表示装置６０において再生させる。
【００８１】
ここに、本実施例に係る「ダイジェスト再生（要約再生、Digest再生）」とは、前述したように、受信コンテンツＣＴから抽出された特徴量ＳＰＥに基づいて、受信コンテンツＣＴ内のハイライトシーンや、要約部分等の受信コンテンツＣＴの概要を短時間で視聴することが可能な概要再生のことである。より詳細には、（ｉ）コンテンツ記録部４１において記録されている記録コンテンツＲＣＴと、（ｉｉ）特徴量記録部４２において記録されている、対応される記録コンテンツＲＣＴの特徴量ＳＰＥとに基づいて、ダイジェスト再生のための映像情報を作成し、再生する。
【００８２】
尚、再生管理部５０は、本願発明に係る「再生手段」の一具体例を構成する。
【００８３】
表示装置６０は、再生管理部５０から出力された受信コンテンツＣＴや、記録コンテンツＲＣＴをユーザに表示すると共に、ユーザとのインタフェースとして機能する。
【００８４】
（１−２）概略動作
次に、図１を参照して、本発明の情報再生装置に係る情報記録再生装置の概略動作について説明する。尚、この概略動作の説明の前提としては、（ｉ）コンテンツ記録部４１において、既に複数の記録コンテンツＲＣＴが記録されており、（ｉｉ）ダイジェスト再生（要約再生：「Digest再生」）を行うために必要な特徴量ＳＰＥが、複数の記録コンテンツＲＣＴに対応して夫々抽出され、特徴量記録部４２に記録されているようにしてもよい。
【００８５】
放送受信部１０において受信された受信コンテンツＣＴが再生（通常再生）され、ユーザは、この受信コンテンツＣＴを視聴している（ステップＳ１０）。
【００８６】
特徴量抽出部３０によって、受信コンテンツＣＴに含まれる特徴量ＳＰＥが抽出され、特徴量記録部４２へと出力される（ステップＳ１１）。
【００８７】
記録管理部４０は、出力された特徴量ＳＰＥを、特徴量記録部４２において記録する（ステップＳ１２）。
【００８８】
制御部２０は、特徴量抽出部３０によって抽出された特徴量ＳＰＥに基づいて、例えばサッカー放映におけるハーフタイムの部分等のイベントを検出すると、各種手段に制御信号ＣＬを出力する（ステップＳ１３）。
【００８９】
そして、制御部２０は、再生管理部５０に対して、ダイジェスト再生（要約再生）を行わせる（ステップＳ１４）。詳細には、再生管理部５０は、記録管理部４０において既に記録されている記録コンテンツＲＣＴからユーザが、未だ視聴していない複数の記録コンテンツＲＣＴ、及びその特徴量ＳＰＥを読み出すと共に、順にダイジェスト再生を行う。
【００９０】
制御部２０は、特徴量抽出部３０によって抽出された特徴量ＳＰＥに基づいて、受信コンテンツＣＴにおける例えばハーフタイム等のイベントが終了した事を検出すると、複数の記録コンテンツＲＣＴのダイジェスト再生を終了し、受信コンテンツＣＴの通常再生へと切替えを行う（ステップＳ１５）。
【００９１】
以上の結果、ユーザが所望していない、即ち、余り視聴したくない、例えばハーフタイムやＣＭＬ等のイベントが放映された場合、情報記録再生装置１内のコンテンツ記録部４１等に記録されている記録コンテンツＲＣＴの概要を再生するダイジェスト再生を開始することが可能となる。特に、この受信コンテンツの視聴からダイジェスト再生への切替えは、ユーザによるボタン操作やリモコン操作等も必要なく自動的に開始されるので、ユーザは、高い利便性を享受することが可能である。
【００９２】
更に、情報記録再生装置１に記録されている複数の記録コンテンツＲＣＴを、所定の順番で、ダイジェスト再生されるので、ユーザが所望する記録コンテンツＲＣＴを迅速に検索することが可能となる。
【００９３】
仮に、本発明に係る再生制御を行わない場合、ユーザは、例えばハーフタイム等のイベントを視聴した場合、ボタン操作やリモコン操作等によって、ザッピングを行なったりして、所望の受信コンテンツＣＴを検索する。或いは、情報記録再生装置１内の記録コンテンツＲＣＴの再生、早送り又は停止等の操作を繰り返して、所望の記録コンテンツＲＣＴを検索する。このような検索を手動で行うことは、ユーザが所望するコンテンツを視聴するために無駄な時間が掛ってしまい、ユーザのための利便性も好ましくなくなってしまう。
【００９４】
これに対して、本発明に係る再生制御においては、ユーザが所望していない、例えばハーフタイム等のイベントが放映された場合、情報記録再生装置１内のコンテンツ記録部４１等に記録されている記録コンテンツＲＣＴの概要を再生するダイジェスト再生を開始することが可能となる。特に、この受信コンテンツの視聴からダイジェスト再生への切替えは、ユーザによるボタン操作やリモコン操作等も必要なく自動的に開始されるので、ユーザは、高い利便性を享受することが可能である。
【００９５】
更に、情報記録再生装置１に記録されている複数の記録コンテンツＲＣＴを、所定の順番で、ダイジェスト再生されるので、ユーザが所望する記録コンテンツＲＣＴを迅速に検索することが可能となる。
【００９６】
（１−３）詳細動作原理
次に、図２及び図３に加えて前述した図１を適宜参照して、本発明の情報再生装置に係る情報記録再生装置１の詳細動作原理について説明する。ここに、図２は、本発明の情報再生装置の第１実施例に係る情報記録再生装置１によって受信された放送コンテンツにおけるイベントを契機とした通常再生とダイジェスト再生との切替え動作の流れを示したフローチャートである。図３は、本発明の情報再生装置の第１実施例に係る情報記録再生装置１によって行われるダイジェスト再生の再生順番（再生シーケンス）の一具体例を示したテーブルである。
【００９７】
先ず、情報記録再生装置１に電源が供給され、放送受信部１０は、放送映像を含む受信コンテンツＣＴを受信可能な状態になる（ステップＳ１００）。
【００９８】
次に、通常再生とダイジェスト再生との切替えの契機となる各種のイベントが設定されると共に、コンテンツ記録部４１に記録される記録コンテンツＲＣＴのダイジェスト再生（要約再生）の全体再生時間、又は再生順番が設定される（ステップＳ１０１）。
【００９９】
特に、ダイジェスト再生を構成する複数の記録コンテンツＲＣＴの再生順番（再生シーケンス）を決定するパラメータの具体例については、図３に示される。
【０１００】
図３に示されるように、（ｉ）ユーザによって未視聴の記録コンテンツＲＣＴの全てを、日付の新しい順番に再生してもよい。（ｉｉ）例えば受信コンテンツＣＴと、同じ種類（ジャンル）及び／又は同じキーワードに分類された記録コンテンツＲＣＴの全てを、タイトルをキーとして５０音順に再生してもよい。（ｉｉｉ）例えば１月１日等の指定された日において記録された記録コンテンツＲＣＴだけを再生してもよい。更に、（ｉｖ）切替える直前に再生されていたことを示すフラグ情報に基づいて、優先的に、切替える前に再生されていた記録コンテンツＲＣＴを再生してもよい。
【０１０１】
尚、ステップＳ１０１における設定が行われなかった場合には、例えば日付の新しい順番等の標準設定（デフォルト設定）を自動的に設定されるようにしてもよい。
【０１０２】
次に、特徴量抽出部３０によって、通常再生されユーザに視聴されている受信コンテンツＣＴに含まれる特徴量ＳＰＥの抽出が開始される（ステップＳ１０２）。
【０１０３】
次に、制御部２０によって、特徴量抽出部３０により抽出された特徴量ＳＰＥに基づいて、受信コンテンツＣＴの通常再生において、ユーザが設定したイベントが検出された（起こった）か否かが判定される（ステップＳ１０３）。ここで、ユーザが設定したイベントが検出された場合（ステップＳ１０３：Ｙｅｓ）、コンテンツ記録部４１に記録されている、複数の記録コンテンツＲＣＴの中から、前述したステップＳ１０２で設定された所定の再生順番で、ダイジェスト再生が開始される（ステップＳ１０４）。
【０１０４】
具体的には、複数の記録コンテンツのうち一の記録コンテンツＲＣＴのダイジェスト再生が行われ、次に、他の記録コンテンツＲＣＴのダイジェスト再生が行われる。尚、後述されるステップを経て、２回目以降のステップＳ１０４においては、既にダイジェスト再生を行った記録コンテンツＲＣＴは、再度、ダイジェスト再生を行わず、未視聴の記録コンテンツＲＣＴを、ダイジェスト再生するように構成してもよい。
【０１０５】
次に、制御部２０の制御下（監視下）で、ダイジェスト再生へ切替える前に視聴していた受信コンテンツＣＴの通常再生において、ユーザが設定した例えばハーフタイム等のイベントが終了したか否かが判定される（ステップＳ１０５）。ここで、例えばハーフタイム等のイベントが終了した場合（ステップＳ１０５：Ｙｅｓ）、記録コンテンツＲＣＴのダイジェスト再生を終了させると共に、受信コンテンツＣＴの通常再生へと切替える（ステップＳ１０６）。
【０１０６】
そして、再び、特徴量抽出部３０によって、通常再生され、ユーザによって視聴されている受信コンテンツＣＴに含まれる特徴量ＳＰＥの抽出が開始される（ステップＳ１０２）。
【０１０７】
他方、ステップＳ１０５の判定の結果、例えばハーフタイム等のイベントが終了しなかった場合（ステップＳ１０５：Ｎｏ）、更に、制御部２０の制御下で、コンテンツ記録部４１に記録されている複数の記録コンテンツＲＣＴの全てのダイジェスト再生が終了したか否かが判定される（ステップＳ１０７）。ここで、コンテンツ記録部４１に記録されている複数の記録コンテンツＲＣＴの全てに対するダイジェスト再生が終了した場合（ステップＳ１０７：Ｙｅｓ）、ユーザに、記録コンテンツＲＣＴの全てのダイジェスト再生が終了したことが、例えば表示装置６０等を介して通知され、イベントを契機とした通常再生とダイジェスト再生との一連の切替え動作が終了される。
【０１０８】
他方、ステップＳ１０７の判定の結果、記録されている複数の記録コンテンツＲＣＴの全てに対するダイジェスト再生が終了していない場合（ステップＳ１０７：Ｎｏ）、更に、ダイジェスト再生されている複数の記録コンテンツＲＣＴの中から、ユーザが所望する記録コンテンツＲＣＴが選択され、この記録コンテンツＲＣＴの通常再生が選択されたか否かが判定される（ステップＳ１０９）。ここで、所望の記録コンテンツＲＣＴの通常再生が選択された場合（ステップＳ１０９：Ｙｅｓ）、一の記録コンテンツＲＣＴの通常再生が開始されると共に、受信コンテンツＣＴの特徴量の抽出が終了される（ステップＳ１１０）。
【０１０９】
尚、所望の記録コンテンツＲＣＴの通常再生の選択について、より具体的には、例えば一の記録コンテンツＲＣＴのダイジェスト再生の最中に、ユーザが、表示装置６０におけるタッチパネルやリモコンボタンにおける再生ボタンが押される等の操作を介してもよい。
【０１１０】
他方、ステップＳ１０９の判定の結果、所望の記録コンテンツＲＣＴの通常再生が選択されない場合（ステップＳ１０９：Ｎｏ）、再び、ユーザが設定したイベントが終了したか否かが判定される（ステップＳ１０５）。
【０１１１】
尚、上述した図２に示される切替え動作は、次の終了条件を満たすまで繰り返される。その終了条件としては、（ｉ）放映番組等の受信コンテンツの終了した場合、（ｉｉ）全ての記録コンテンツＲＣＴのダイジェスト再生の終了した場合、（ｉｉｉ）ユーザが選択した記録コンテンツＲＣＴのダイジェスト再生から通常再生へ切替えられた場合。
【０１１２】
（２）情報再生装置の第２実施例
次に、図４及び図５を参照して、本発明の情報再生装置に係る第２実施例について説明する。尚、第２実施例に係る基本構成、及び概略動作については、第１実施例と概ね同様であるので、説明は省略する。
【０１１３】
（２−１）詳細動作原理
次に、図４及び図５を参照して、本発明の情報再生装置の第２実施例に係る情報記録再生装置１の詳細動作原理について説明する。ここに、図４は、本発明の情報再生装置の第２実施例に係る情報記録再生装置の基本構成を概念的に示す論理ブロック図である。図５は、本発明の情報再生装置の第２実施例に係る情報記録再生装置１によって受信された放送コンテンツにおけるイベントを契機とした通常再生とダイジェスト再生との切替え動作の流れを示したフローチャートである。尚、図５におけるステップにおいては、前述した第１実施例における図２と同様のステップには、同様のステップ番号を付しそれらの説明は適宜省略する。
【０１１４】
特に、第２実施例に係る情報記録再生装置１においては、放送受信部１０は、複数の受信コンテンツＣＴを同時に受信することが可能であると共に、コンテンツ記録部４１は、複数の受信コンテンツＣＴを同時に記録することが可能である。従って、視聴している一の受信コンテンツＣＴ、所謂「表番組」において、例えばハーフタイム等のイベントが検出された場合、視聴と平行して（同時に）コンテンツ記録部４１等に記録されている他の受信コンテンツＣＴ、所謂「裏番組」の概要をダイジェスト再生によって簡便に視聴することができる。言い換えると、第２実施例においては、第１実施例におけるコンテンツ記録部４１に記録されている複数の記録コンテンツＲＣＴを、「表番組」と平行して記録されている「裏番組」に置き換えて構成しているとも言える。
【０１１５】
図５に示されるように、前述したステップＳ１００に続いて、前述したステップＳ１０１と同様にして、（ｉ）通常再生とダイジェスト再生との切替えの契機となる各種のイベントが設定され、（ｉｉ）コンテンツ記録部４１に記録される記録コンテンツＲＣＴのダイジェスト再生（要約再生）の全体再生時間、又は再生順番が設定されることに加えて、（ｉｉｉ）例えば裏番組を特定するための各種パラメータが設定され、（ｉｖ）仮に裏番組が複数であった場合、所定の再生順番（再生シーケンス）が設定されるようにしてもよい（ステップＳ２０１）。
【０１１６】
次に、前述と同様にして、特徴量抽出部３０によって、通常再生されユーザに視聴されている一の受信コンテンツＣＴ（以下、適宜「コンテンツＡ」と称す）に含まれる特徴量ＳＰＥの抽出が開始される（ステップＳ１０２）。
【０１１７】
次に、特定された複数の裏番組（以下、適宜「コンテンツＢ」、及び「コンテンツＣ」とする）の記録が開始されると同時に、ダイジェスト再生のための特徴量ＳＰＥの抽出が開始される（ステップＳ２０２）。尚、図４中におけるコンテンツ記録部４１における受信コンテンツＣＴｂ、及び受信コンテンツＣＴｃを参照。加えて、特徴量記録部４２における特徴量ＳＰＥｂ、及び特徴量ＳＰＥｃを参照。
【０１１８】
前述したステップＳ１０３の判定の結果、ユーザが設定したイベントが検出された場合（ステップＳ１０３：Ｙｅｓ）、記録されている裏番組「コンテンツＢ」、及び「コンテンツＣ」のダイジェスト再生が所定の順番で開始される（ステップＳ２０３）。
【０１１９】
前述したステップＳ１０５、及びステップＳ１０６を経て、ステップＳ１０７の判定の結果、コンテンツ記録部４１にイベントが検出されるまで記録されている裏番組「コンテンツＢ」、及び「コンテンツＣ」の両方に対するダイジェスト再生が終了した場合（ステップＳ１０７：Ｙｅｓ）、ユーザに対して、「コンテンツＢ」、及び「コンテンツＣ」の、イベントが検出されるまで記録されていた部分のダイジェスト再生が終了したことが、表示機器６０を介して表示されると共に、「表番組」である「コンテンツＡ」が通常再生される（ステップＳ２０４）。続いて、前述した「コンテンツＢ」及び「コンテンツＣ」の記録等が再度、開始される（ステップＳ２０２）。
【０１２０】
他方、ステップＳ１０７の判定の結果、コンテンツ記録部４１にイベントが検出されるまで記録されている裏番組「コンテンツＢ」、及び「コンテンツＣ」の両方に対するダイジェスト再生が終了していない場合（ステップＳ１０７：Ｎｏ）、更に、ダイジェスト再生されている裏番組「コンテンツＢ」、及び「コンテンツＣ」の中から、ユーザが所望するコンテンツが選択され、このコンテンツの通常再生が選択されたか否かが判定される（ステップＳ１０９）。
【０１２１】
ここで、ユーザが所望するコンテンツ（裏番組「コンテンツＢ」又は「コンテンツＣ」）の通常再生が選択された場合（ステップＳ１０９：Ｙｅｓ）、更に、途中まで視聴した表番組「コンテンツＡ」の記録を開始するか否かがユーザに確認される（ステップＳ２０５）。尚、ステップＳ２０５と同時に又は相前後して、選択されたコンテンツ（裏番組「コンテンツＢ」又は「コンテンツＣ」）の記録されている部分が再生されるように構成してもよい。
【０１２２】
ここで、ユーザが、表番組「コンテンツＡ」の記録を所望した場合（ステップＳ２０５：Ｙｅｓ）、表番組「コンテンツＡ」が、コンテンツ記録部４１に記録される（ステップＳ２０６）。他方、ユーザが表番組「コンテンツＡ」の記録を所望しない場合、ステップＳ２０６における記録が省略される。
【０１２３】
続いて、ステップＳ１０９において、選択されたユーザが所望するコンテンツ（裏番組「コンテンツＢ」又は「コンテンツＣ」）の通常再生が、最初から開始される（ステップＳ２０７）。
【０１２４】
以上のように、第２実施例においては、一の受信コンテンツ（表番組）を視聴している際に、例えばハーフタイム等のイベントが検出されると、自動的に記録されている他の受信コンテンツ（裏番組）がダイジェスト再生される。従って、ユーザは、ザッピングする必要はなくなり、他の受信コンテンツ（裏番組）のダイジェスト再生を自動的に視聴できるので、ユーザにとって高い利便性を享受することが可能である。
【０１２５】
更に、情報記録再生装置１に記録された他の受信コンテンツＣＴ（裏番組）が、所定の順番で、ダイジェスト再生されるので、ユーザが所望する他の受信コンテンツＣＴをより迅速に検索することが可能となる。
【０１２６】
上述した実施例では、放送コンテンツの搬送波として、地上波アナログ放送、又は、地上波デジタル放送を例にとって説明したが、ＢＳ（Broadcasting Satellite）や、ＣＳ（Communication Satellite）や、インターネット等を介して、配信される放送コンテンツ等のすべての放送形態に適用可能である。
【０１２７】
また、上述の実施例では、情報記録再生装置の一例としてＨＤＤ付きのＤＶＤプレーヤ（レコーダ）について説明したが、本発明は、磁気ディスク、光ディスク又はBlu-rayディスクのプレーヤ（レコーダ）に限られるものではなく、他の各種記録媒体並びにそのプレーヤ（レコーダ）にも適用可能である。
【０１２８】
本発明は、上述した実施例に限られるものではなく、請求の範囲及び明細書全体から読み取れる発明の要旨或いは思想に反しない範囲で適宜変更可能であり、そのような変更を伴う情報再生装置及び方法、情報記録装置及び方法、情報記録再生装置及び方法、並びに、各種制御用のコンピュータプログラムもまた本発明の技術的範囲に含まれるものである。
【図面の簡単な説明】
【０１２９】
【図１】本発明の情報再生装置の第１実施例に係る情報記録再生装置の基本構成を概念的に示す論理ブロック図である。
【図２】本発明の情報再生装置の第１実施例に係る情報記録再生装置１によって受信された放送コンテンツにおけるイベントを契機とした通常再生とダイジェスト再生との切替え動作の流れを示したフローチャートである。
【図３】本発明の情報再生装置の第１実施例に係る情報記録再生装置１によって行われるダイジェスト再生の再生順番（再生シーケンス）の一具体例を示したテーブルである。
【図４】本発明の情報再生装置の第２実施例に係る情報記録再生装置の基本構成を概念的に示す論理ブロック図である。
【図５】本発明の情報再生装置の第２実施例に係る情報記録再生装置１によって受信された放送コンテンツにおけるイベントを契機とした通常再生とダイジェスト再生との切替え動作の流れを示したフローチャートである。
【符号の説明】
【０１３０】
１…情報記録再生装置、１０…放送受信部、１１…外部機器、２０…制御部、３０…特徴量抽出部、４０…記録管理部、４１…コンテンツ記録部、４２…特徴量記録部、５０…再生管理部、及び、６０…表示装置、ＣＬ…制御信号、ＣＴ（ＣＴａ、ＣＴｂ、ＣＴｃ）…受信コンテンツ、ＲＣＴ（ＲＣＴｂ、ＲＣＴｃ）…記録コンテンツ、ＳＰＥ（ＳＰＥｂ、ＳＰＥｃ）…特徴量
【図１】
2006140913.tif 000003
【図２】
2006140913.tif 000004
【図３】
2006140913.tif 000005
【図４】
2006140913.tif 000006
【図５】
2006140913.tif 000007